(57)【要約】【課題】  コストを低減化すると共に、保護カバーを取り除く際にドアトリム表皮材の傷付きを防止することができるドアトリム保護カバーの提供。【解決手段】  ドアトリム保護カバー１は、ドアトリム２の表面を覆うシート１１の上縁部に沿って長孔１３が打ち抜き形成されることによって、シート１１の上縁部に環状の引っ掛け部１２が一体に形成され、長孔１３の一方の端部である環状の引っ掛け部１２の一方の端部側の折り曲げ部になるシート１１側端部に切り込み部１２ａを入れることによって同部分に脆弱部１２ｂが形成されている。【選択図】        図１
2008001211.tif 000002
【特許請求の範囲】
【請求項１】
ドアトリムの表面を覆うシートにドアトリムの裏面側に係止可能な引っ掛け部が一体に形成されていることを特徴とするドアトリム保護カバー。
【請求項２】
前記引っ掛け部が環状に形成されていることを特徴とする請求項１に記載のドアトリム保護カバー。
【請求項３】
前記環状に形成された引っ掛け部の一部に脆弱部が形成されていることを特徴とする請求項２に記載のドアトリム保護カバー。
【請求項４】
前記脆弱部が環状に形成された引っ掛け部における一方の端部側に形成されていることを特徴とする請求項３に記載のドアトリム保護カバー。
【請求項５】
前記脆弱部が環状に形成された引っ掛け部における一方の端部側の折り曲げ部に形成されていることを特徴とする請求項４に記載のドアトリム保護カバー。
【請求項６】
前記脆弱部が前記引っ掛け部に切り込みを入れることによって形成されていることを特徴とする請求項３〜５のいずれか一項に記載のドアトリム保護カバー。
【請求項７】
裏面上部にドアインナーパネルへの当てリブが備えられたドアトリムに対するドアトリム保護カバーの取付構造であって、
前記ドアトリム保護カバーはドアトリムの表面を覆うシートにドアトリムの裏面側に係止可能な環状の引っ掛け部が一体に形成され、
該環状の引っ掛け部を前記ドアインナーパネルの当てリブの底部に引っ掛けた状態で取り付けられていることを特徴とするドアトリム保護カバーの取付構造。
【請求項８】
前記当てリブにおけるドアインナーパネルに対する当て面に緩衝材が取り付けられていて、この緩衝材の下端が前記環状の引っ掛け部が引っ掛けられる当てリブの底部より下方に突出する状態に取り付けられていることを特徴とする請求項７に記載のドアトリム保護カバーの取付構造。
【請求項９】
前記当てリブの底部に係止突部が形成され、
該係止突部よりも車室内側に環状の引っ掛け部を係止させた状態で取り付けられていることを特徴とする請求項７に記載のドアトリム保護カバーの取付構造。
【発明の詳細な説明】
【技術分野】
【０００１】
本発明は、ドアトリム保護カバー及びドアトリム保護カバーの取付構造に関する。
【背景技術】
【０００２】
従来、車両のドア内面にはドアトリムが取り付けられている。このドアトリムは、ドアインナーパネル形状にほぼ一致するようにトリムカットされた心材の表面に表皮材を一体貼着したドアトリム本体の表面適宜箇所に、ドアグリップ用エスカッション、ブルハンド用エスカッション、パワーウインドウスイッチ仕様のものであればパワーウインドウスイッチ用エスカッション等の機能部品が装着されて構成されている（例えば、特許文献１参照）。
【０００３】
そして、工場内での作業中や、車両の搬送時におけるドアトリムの汚れや傷付きを防止するためにドアトリムの表面を覆う状態に保護カバーが取り付けられている。
【特許文献１】実公平６−３６９８１号公報
【発明の開示】
【発明が解決しようとする課題】
【０００４】
しかしながら、従来のドアトリム保護カバーのドアトリムに対する取り付けは、ビニール製の保護カバーの上端縁部にその両端部が固定されたゴム紐をドアトリムにおけるウエストのインナーシールのフランジ部に引っ掛けると共に、保護カバーの左右両側縁部中途部にその両端部が固定されたゴム紐をドアトリムに備えられたトリム取り付け用クリップに引っ掛けることによって行われていたため、以下に述べるような問題点があった。
【０００５】
即ち、保護カバーに複数個のゴム紐が固定された構造であるため、材料コスト及び固定のための作業コストが高く付く。
【０００６】
また、保護カバーを取り除くために、ゴム紐を鋏やカッター等で切断するとゴム紐の切断部分がドアトリムからはみ出した状態で残り、見栄えが悪くなると共に、ドアトリムの内側にゴム紐が残った状態になると残留物での不具合があるため、ゴム紐を切断して引き抜く必要があるが、ゴム紐は細く、切れにくいため、引き抜く時にトリム表皮材を傷付ける虞がある。
【０００７】
本発明は、上述のような従来の問題点に着目して成されたもので、コストを低減化すると共に、保護カバーを取り除く際にドアトリム表皮材の傷付きを防止することができるドアトリム保護カバーを提供することを目的としている。
【課題を解決するための手段】
【０００８】
上述の目的を達成するために、本願請求項１に記載のドアトリム保護カバーは、ドアトリムの表面を覆うシートにドアトリムの裏面側に係止可能な引っ掛け部が一体に形成されていることを特徴とする手段とした。
【０００９】
請求項７に記載のドアトリム保護カバーの取付構造は、裏面上部にドアインナーパネルへの当てリブが備えられたドアトリムに対するドアトリム保護カバーの取付構造であって、前記ドアトリム保護カバーはドアトリムの表面を覆うシートにドアトリムの裏面側に係止可能な環状の引っ掛け部が一体に形成され、該環状の引っ掛け部を前記ドアインナーパネルの当てリブの底部に引っ掛けた状態で取り付けられていることを特徴とする手段とした。
【発明の効果】
【００１０】
請求項１に記載のドアトリム保護カバーでは、上述のように、ドアトリムの表面を覆うシートにドアトリムの裏面側に係止可能な引っ掛け部が一体に形成されている構成とすることにより、コストを低減化することができるようになると共に、シートで構成される引っ掛け部は、ゴム紐に比べて切れ易いため、保護カバーを取り除く際にドアトリム表皮材の傷付きを防止することができるようになるという効果が得られる。
【００１１】
請求項７に記載のドアトリム保護カバーの取付構造では、上述のように、ドアトリム保護カバーはドアトリムの表面を覆うシートにドアトリムの裏面側に係止可能な環状の引っ掛け部が一体に形成されている構成とすることにより、コストを低減化することができるようになると共に、シートで構成される引っ掛け部は、ゴム紐に比べて切れ易いため、保護カバーを取り除く際にドアトリム表皮材の傷付きを防止することができるようになるという効果が得られる。
【発明を実施するための最良の形態】
【００１２】
以下に、本発明の実施例を図面に基づいて説明する。
【実施例１】
【００１３】
この実施例１のドアトリム保護カバーは、請求項１〜４に記載の発明に対応する。
【００１４】
図１はこの実施例１のドアトリム保護カバーを示す平面図、図２は実施例１のドアトリム保護カバーをトリムに取り付けた状態を示す表面図、図３は実施例１のドアトリム保護カバーをトリムに取り付けた状態示す裏面図、図４は図２のＡ−Ａ線における拡大縦断面図、図５は図３のＢ−Ｂ線における拡大横断面図である。
【００１５】
この実施例１のドアトリム保護カバー１は、図１に示すように、ドアトリム２の表面を覆うシート１１にドアトリム２の裏面側に係止可能な引っ掛け部１２、１４が一体に形成された構造になっている。
【００１６】
さらに詳述すると、シート１１は、ビニール等の透明または半透明な肉薄の合成樹脂製シートが用いられ、このシート１１の上縁部に沿って長孔１３が打ち抜き形成されることによって、シート１１の上縁部に環状の引っ掛け部１２が形成されている。
【００１７】
そして、長孔１３の一方の端部である環状の引っ掛け部１２の一方の端部側の折り曲げ部になるシート１１側端部に切り込み部１２ａを入れることによって同部分に脆弱部１２ｂが形成されている。
【００１８】
また、シート１１の左右両側縁部にはドアトリム２の裏面側に巻き込む舌片１５が所定数突出する状態で一体に形成され、この舌片１５の先端部に円形孔１５ａが打ち抜き形成されることによって、環状の引っ掛け部１４が形成されている。なお、この舌片１５は、後述するドアトリムの裏面側に取り付けられたクリップ４の位置と対応する部分に形成されている。
【００１９】
一方、上述のドアトリム保護カバー１が取り付けられるドアトリム２は、図２〜５に示すように、その上端縁部にドアインナーパネル３の上端縁部に係止させた状態で取り付けるための下向きの係止部２１が形成されると共に、ドアトリム２の左右両側縁部裏面側には該ドアトリム２をドアインナーパネル３に形成された係合孔３１に圧入係止させることによってドアトリム２を取り付け固定するためのクリップ４が所定数取り付けられている。
【００２０】
また、ドアトリム２の裏面側には、その上縁部に沿ってドアインナーパネル３への当てリブ２２が複数個突出形成されている。
【００２１】
この実施例１のドアトリム保護カバー１では、上述のように構成されるため、シート１１の上端縁部に一体に形成された環状の引っ掛け部１２を、ドアインナーパネル３の当てリブ２２の底部２２ａに引っ掛けると共に、シート１１の左右両側縁部に突出する状態で一体に形成された舌片１５をドアインナーパネル３の裏側に巻き込み、その先端部に形成された環状の引っ掛け部１４をドアトリム２の裏面側に取り付けられたクリップ４の圧入係止部４１にそれぞれ引っ掛けることにより、ドアトリム２の表面がシート１１で覆われた状態にドアトリム保護カバー１の取り付けが行われる。
【００２２】
次に、実施例１の作用・効果について説明する。
【００２３】
この実施例１のドアトリム保護カバーでは、上述のように、ドアトリム２の表面を覆うシート１１にドアトリム２の裏面側に係止可能な引っ掛け部１２、１４が一体に形成されている構成とすることにより、ゴム紐を省略することができるため、コストを低減化することができると共に、シート１１で構成される引っ掛け部１２、１３は、ゴム紐に比べて切れ易いため、ドアトリム保護カバー１を取り除く際にドアトリム表皮材の傷付きを防止することができるようになるという効果が得られる。
【００２４】
また、引っ掛け部１２、１４が環状に形成されることにより、引っ掛け作業を容易に行えるようになる。
【００２５】
また、環状に形成された引っ掛け部１２の一部に脆弱部１２ｂが形成されることにより、ドアトリム保護カバー１を取り外すために、シート１１を引っ張ると、環状の引っ掛け部１２が脆弱部１２ｂの部分で容易に切れるため、内部に残留物を残すこと無く確実に引き抜くことができるようになる。
【００２６】
また、脆弱部１２ｂが環状に形成された引っ掛け部１２における一方の端部側に形成されることにより、他方の端部側からのみ引き抜くことができるため、抜き取り作業性を高めることができるようになる。
【００２７】
また、脆弱部１２ｂが環状に形成された引っ掛け部１２における一方の端部側の折り曲げ部に形成されることにより、さらに抜き取り作業性を高めることができるようになる。
【００２８】
また、脆弱部１２ｂが引っ掛け部１２に切り込みを入れることによって形成されることにより、脆弱部１２ｂの形成が長孔１３の打ち抜き形成と同工程で行えるようになる。
【００２９】
また、環状の引っ掛け部１２をドアインナーパネル３の当てリブ２２の底部２２ａに引っ掛けた状態で取り付けるようにしたことで、切れた環状の引っ掛け部１２を容易に引き抜くことができ、ドアトリム２内に残留物を残すことなく確実に取り外すことができるようになる。
【００３０】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００３１】
この実施例２は、前記実施例１におけるドアトリムの変形例を示すものであり、図６の要部拡大縦断面図に示すように、当てリブ３１におけるドアインナーパネル３に対する当て面２２ｂに緩衝材５が取り付けられていて、この緩衝材５の下端が環状の引っ掛け部が引っ掛けられる当てリブ２２の底部２２ａより下方に突出する状態に取り付けられていて、該緩衝材５の突出部５１に環状の引っ掛け部１２を係止させた状態で取り付けられている点が、上記実施例１とは相違したものである。
【００３２】
従って、この実施例２では、実施例１と同様の効果が得られる他、環状の引っ掛け部１２が当てリブ２２から外れることを防止することができるようになるという追加の効果が得られる。
【実施例３】
【００３３】
この実施例３は、前記実施例１におけるドアトリムの変形例を示すものであり、図７の要部拡大縦断面図に示すように、当てリブ２２の底部２２ａに係止突部２２ｃが形成されていて、該係止突部２２ｃに環状の引っ掛け部１２を係止させた状態で取り付けられている点が、上記実施例１とは相違したものである。
【００３４】
従って、この実施例３では、実施例１と同様の効果が得られる他、環状の引っ掛け部１２が当てリブ２２から外れることを防止することができるようになるという追加の効果が得られる。
【００３５】
以上、本発明の実施例を図面に基づき説明してきたが、本発明は上述の実施例に限られるものではなく、本発明の要旨を逸脱しない範囲の設計変更等があっても、本発明に含まれる。
【００３６】
例えば、実施例では、脆弱部１２ｂを環状に形成された引っ掛け部１２における一方の端部側に形成したが、その他の部分に形成してもよい。
【００３７】
また、実施例では、脆弱部１２ｂを引っ掛け部１２に切り込みを入れることによって形成したが、ミシン目を入れる等、その他の方法で形成するようにしてもよい。
【００３８】
また、実施例では、環状の引っ掛け部１２をドアインナーパネル３の当てリブ２２の底部２２ａに引っ掛けた状態で取り付けるようにしたが、引っ掛ける部分は任意である。
【図面の簡単な説明】
【００３９】
【図１】実施例１のドアトリム保護カバーを示す平面図である。
【図２】実施例１のドアトリム保護カバーをトリムに取り付けた状態を示す表面図である。
【図３】実施例１のドアトリム保護カバーをトリムに取り付けた状態示す裏面図である。
【図４】図２のＡ−Ａ線における拡大縦断面図である。
【図５】図３のＢ−Ｂ線における拡大横断面図である。
【図６】実施例２のドアトリム保護カバーの取付構造を示す要部拡大縦断面図である。
【図７】実施例３のドアトリム保護カバーの取付構造を示す要部拡大縦断面図である。
【符号の説明】
【００４０】
１  ドアトリム保護カバー
１１  シート
１２  引っ掛け部
１２ａ  切り込み部
１２ｂ  脆弱部
１３  長孔
１４  引っ掛け部
１５  舌片
１５ａ  円形孔
２  ドアトリム
２１  係止部
２２  当てリブ
２２ａ  底部
２２ｂ  当て面
２２ｃ  係止突部
３  ドアインナーパネル
３１  係合孔
４  クリップ
４１  圧入係止部
５  緩衝材
５１  突出部
【図１】
2008001211.tif 000003
【図２】
2008001211.tif 000004
【図３】
2008001211.tif 000005
【図４】
2008001211.tif 000006
【図５】
2008001211.tif 000007
【図６】
2008001211.tif 000008
【図７】
2008001211.tif 000009